(57)【特許請求の範囲】
【請求項１】
情報記録媒体を収納するケースが出し入れ可能な開口部を正面側に有し、該開口部の上部に垂下部が設けられ、前記開口部の下部に底面板が設けられた箱形の収納容器本体と、該収納容器本体の下部にケースの取り出しを制限するロック手段とを備え、
該ロック手段は、板部と該板部の下端に直角に設けられた基部板と該基部板の両端に各々形成された係合部とを有する上下動可能な可動部材と、前記係合部の対向する面の両側に配設される板バネと、該板バネ及び前記可動部材が納まるカバー部とを有し、
前記可動部材を押し上げることにより、前記底面板に形成された長溝を前記板部が迫り上がると共に前記係合部に前記板バネが係合してロック状態を保持することを特徴とするケース用のホルダー。
【請求項２】
前記板バネは、一枚のバネ材をＵ字状に折り曲げて形成したことを特徴とする請求項１に記載のケース用のホルダー。
【請求項３】
前記板バネは、磁性をもって形成されていることを特徴とする請求項１又は２に記載のケース用のホルダー。
【請求項４】
前記収納容器本体は、透明又は半透明な合成樹脂材で形成されていることを特徴とする請求項１に記載のケース用のホルダー。
【発明の詳細な説明】
【０００１】
【発明の属する技術分野】
本発明は、ＣＤ（コンパクトディスク）などの情報記録媒体を収納するケース用のホルダーに関するものであり、更に詳しくは、ホルダーの内側に防犯タグを保持した状態でケースを収納すると共に、ロック手段の操作によってケースの収納状態をロック（施錠）することができるケース用のホルダーに関するものである。
【０００２】
【従来の技術】
従来、ＣＤショップやＣＤのレンタルショップなどにおいては、ＣＤなどの商品を店内から不正に持ち出されないように（即ち、万引き防止のために）、ＣＤなどのケースに防犯タグを直接取り付けていた。
この防犯タグは、店の出入り口に予め設置しておいた防犯センサーを磁気的或いは電気的に反応させるためのものであり、防犯タグが付いている商品が店の出入り口を通過したときには、防犯センサーが警戒音を発する仕組みになっているのである。
【０００３】
しかしながら、ＣＤなどのケースに防犯ダグを直接取り付けておくと、それを故意に引き剥がされたり取り外されたりすることがあった。
そこで、防犯タグを内部に保持した容器にＣＤケースを収納してから、容器とＣＤケースとをロック（施錠）しておき、販売するときにカウンターでロックを解除してＣＤケースを購入者（お客）に渡していた。
【０００４】
ところが、上述の防犯タグを保持した容器は、ＣＤケースをロックするためにシリンダー錠やタンブラー錠を使用しているので、購入者（お客）の面前で鍵を使っていちいち解錠操作をする必要があり、その操作は煩雑で能率が悪く、大量の商品を迅速に解錠するには不便であった。
【０００５】
そこで、出願人は前記の欠点を解消すべく、特開平９−３２８１８４号公報に開示されたＣＤケースの収納容器を提案している。
このＣＤケースの収納容器１は、図９に示すように、ＣＤケース２が出し入れ可能な開口部３を背面側に有した収納容器本体４と、この収納容器本体４の上端部に設けられ且つＣＤケース２の取り出しを制限する押し釦式のロック機構５とから構成されている。そして、開口部３の四隅には、収納されたＣＤケース２の各四隅に当接してＣＤケース２を保持する係止突起６ａ、６ａ、６ｂ、６ｂが各々設けられている。
【０００６】
【発明が解決しようとする課題】
この従来例のＣＤケースの収納容器１においては、ＣＤケース２を取り出すときには、ロック機構５を解錠してロック部材７を後退させ、ＣＤケース２の上端と収納容器本体４との間に隙間（ＣＤケース２の上下移動自在な間隔）を開けてから、ＣＤケース２を上に押し上げて、開口部３からＣＤケース２の下端を抜き出して、次いで上端を抜き出している。
つまり、ＣＤケース２の取り出しは、ケース自体を上げ下げして下端と上端とを交互に抜き出す手順が必要であるので、スムーズな取り出しができず、結局大量の商品処理が煩雑で能率が悪いという従来例の欠点が解消しきれていない。
【０００７】
また、上部の係止突起６ａ、６ａ或いは下部の係止突起６ｂ、６ｂの２個所をを強制的に破壊すれば、収納容器１からＣＤケース２を不正に取り出すことができるという欠点もある。
【０００８】
従って、従来例におけるＣＤケースの収納容器１においては、ＣＤケース２の取り出しをスムーズに行えるようにして、大量の商品を更に迅速に処理することと、係止突起の破壊によるＣＤケース２の不正な取り出しを防止することとに解決しなければならない課題を有している。
【０００９】
【課題を解決するための手段】
前記従来例の課題を解決する具体的手段として本発明は、情報記録媒体を収納するケースが出し入れ可能な開口部を正面側に有し、該開口部の上部に垂下部が設けられ、前記開口部の下部に底面板が設けられた箱形の収納容器本体と、該収納容器本体の下部にケースの取り出しを制限するロック手段とを備え、該ロック手段は、板部と該板部の下端に直角に設けられた基部板と該基部板の両端に各々形成された係合部とを有する上下動可能な可動部材と、前記係合部の対向する面の両側に配設される板バネと、該板バネ及び前記可動部材が納まるカバー部とを有し、前記可動部材を押し上げることにより、前記底面板に形成された長溝を前記板部が迫り上がると共に前記係合部に前記板バネが係合してロック状態を保持することを特徴とするケース用のホルダーを提供するものである。
【００１０】
また、前記板バネは、一枚のバネ材をＵ字状に折り曲げて形成した構成としたものであり、そして、前記板バネは、磁性をもって形成されている構成としたものであり、更に、収納容器本体は、透明又は半透明な合成樹脂材で形成されている構成としたものである。
【００１１】
本発明のケース用のホルダーにおいては、収納容器本体からＣＤケースを取り出すときには、ロック手段のロック状態を解除して板部を下降させてから、ＣＤケースをそのまま開口部から取り出せばよく、従来例の収納容器よりもスムーズに且つ簡単にＣＤケースを取り出すことができる。
また、迫り上がった状態（ロック状態）の板部を不正な目的で全面的に折り取ることは極めて難しいので、ＣＤケースの不正な取り出しを防止できる。
【００１２】
【発明の実施の形態】
次に、本発明の実施の形態について図面を参照しながら説明する。まず、図１及び図２において、符号１１はケース用のホルダーを示し、このホルダー１１は、情報記録媒体を収納するケース、例えばＣＤケース１２が出し入れ可能な箱形の収納容器本体１３と、この収納容器本体１３の下部に設けられたロック手段１４とから構成される。
【００１３】
収納容器本体１３は、プラスチックなどの合成樹脂材で形成されており、適度な剛性と弾性とを有していると共に、内部に収納したＣＤケース１２のジャケットなどを外部から視認することができるように透明又は半透明な材料で形成されている。
【００１４】
また、収納容器本体１３の内部の大きさは、例えば所定規格形状のＣＤケース１２を略ピッタリと収納できる大きさに形成されている。尚、ＣＤケース１２を余裕をもって収納するために、収納容器本体１３の内部の高さ（上下方向の長さ）を、ＣＤケース１２よりも約５ｍｍ程度長めに形成してもよい。
【００１５】
収納容器本体１３の正面側は、開放して開口部１５が形成されており、この開口部１５の上部に沿って所要幅の垂下部１６が設けられている。
【００１６】
また、収納容器本体１３の上部は、横長の天板１７が設けられており、つまり、この天板１７の正面側に沿って前記垂下部１６が一体に設けられているのである。
【００１７】
天板１７の背面側には、略正方形状の背面板１８が一体に設けられている。そして、この背面板１８には、図１に示すように、略正方形状の窓孔１９が形成されており、この窓孔１９から、収納されているＣＤケース１２に指を宛てて押し出すのである。
尚、背面板１８の内側の適宜位置に、図示しない防犯タグを接着などの適宜な手段で取り付けておくのである。
【００１８】
背面板１８の両側、即ち、天板１７の両端には、縦長の側面板２０、２０が各々一体に設けられている。
【００１９】
また、背面板１８の下端部には、横長の底面板２１が一体に設けられており、この底面板２１の両端が前記側面板２０、２０に各々一体に設けられている。
そして、底面板２１の下部には、ロック手段１４が設けられており、更に、底面板２１の開口部１５側の端縁には、後述する板部２３が上昇（迫り上がり）下降するための長溝２２が形成されている。
【００２０】
ロック手段１４は、図３から図７に示すように、前記長溝２２から迫り上がり可能な板部２３及び該板部２３と一体的に形成されている係合部２４を備えた上下動可能な可動部材２３ａと、前記係合部２４の対向する面の両側に配設される板バネ２５と、この板バネ２５及び前記可動部材２３ａが納まるカバー部３０とを有している。
【００２１】
板部２３は、所要の幅及び長さを有する横長の板材で形成されており、この板部２３の下端には、基部板２６が略直角に設けられている。
この基部板２６は、可動部材２３ａ（板部２３）の上昇により底面板２１の下端面に当接し、或いは、可動部材２３ａ（板部２３）の下降によりカバー部３０の底部に当接して、各々ストッパーの役目を果たすのである。
【００２２】
基部板２６の両端には、略柱状の係合部２４が各々形成されており、この係合部２４の対向する面の両側には、係合段部２４ａ、２４ｂが形成されている。
また、左右に位置する係合部２４、２４間には、下部板２７が設けられており、即ち、この下部板２７と係合部２４、２４と基部板２６と板部２３とが一体的になって可動部材２３ａを形成しているのである。
【００２３】
板バネ２５は、一枚のバネ材をＵ字状に折り曲げて形成され、底面板２１の下端面に設けられた凸部２８を挟持する状態で配設され且つカバー部３０に形成された突起部３１、３１に支持されている。そして、この板バネ２５の両方の先端部２５ａ、２５ａが、前記係合段部２４ａ、２４ｂに係合するのである。
また、係合段部２４ａ、２４ｂと係合した板バネ２５の先端部２５ａ、２５ａは、図８に示すような両方に強力な磁力（Ｎで表示）を有する解除装置２９を用いて、ロック手段１４の外部から板バネ２５の先端部２５ａ、２５ａを吸着して両側に拡開し、係合部２４との係合を解除する。尚、板バネ２５自体を磁性をもって形成してもよいことは勿論である。
【００２４】
以上のような構成のロック手段１４は、底面板２１の下部に設けられた箱形のカバー部３０に納まっており、このカバー部３０の底部には、長孔３０ａと、この長孔３０ａの両端に位置する孔３０ｂ、３０ｂが形成されている。そして、この孔３０ｂ、３０ｂ及び長孔３０ａを、前記可動部材２３ａ（板部２３）の上昇下降によって係合部２４、２４及び下部板２７が挿通する。
【００２５】
次に、以上のような構成のケース用ホルダー１１の使用方法について説明する。まず、収納容器本体１３に収納されたＣＤケース１２は、図２に示すように、上部で垂下部１６に当接し、且つ下部で迫り上がっている板部２３に当接しているので、収納容器本体１３からＣＤケース１２を取り出すことができない。
このとき、係合部２４の係合段部２４ａ、２４ｂには板バネ２５の先端部２５ａ、２５ａが係合して、ロック状態を保持しているので、可動部材２３ａを無理に下降させることはできず、板部２３の迫り上がった状態（ロック状態）が保持される。
【００２６】
そして、ＣＤケース１２を取り出すときは、図８に示すように、両方に磁力（Ｎで表示）を有する解除装置２９でカバー部３０の外側から板バネ２５の先端部２５ａ、２５ａを吸着して両側に拡開して、係合段部２４ａ、２４ｂとの係合を解除し、指で板部２３を押し下げれば、ＣＤケース１２を取り出すことができる。
【００２７】
再度、収納容器本体１３にＣＤケース１２を収納した場合には、カバー部３０の底部から孔３０ｂ、３０ｂ及び長孔３０ａを挿通して突出している係合部２４、２４及び下部板２７（図５参照）を指で押し上げて、係合段部２４ａ、２４ｂに板バネ２５の先端部２５ａ、２５ａを係合させればよい。
【００２８】
このように、このケース用ホルダー１１は、従来例の収納容器よりもスムーズに且つ簡単にＣＤケース１２の取り出しが可能になるので、店内でのＣＤの受渡業務が更に効率的に行えるのである。
【００２９】
【発明の効果】
以上説明したように本発明に係るケース用のホルダーは、情報記録媒体を収納するケースが出し入れ可能な開口部を正面側に有し、該開口部の上部に垂下部が設けられ、前記開口部の下部に底面板が設けられた箱形の収納容器本体と、該収納容器本体の下部にケースの取り出しを制限するロック手段とを備え、該ロック手段は、板部と該板部の下端に直角に設けられた基部板と該基部板の両端に各々形成された係合部とを有する上下動可能な可動部材と、前記係合部の対向する面の両側に配設される板バネと、該板バネ及び前記可動部材が納まるカバー部とを有し、前記可動部材を押し上げることにより、前記底面板に形成された長溝を前記板部が迫り上がると共に前記係合部に前記板バネが係合してロック状態を保持することによって、収納容器本体からＣＤケースを取り出すときには、ロック手段のロック状態を解除して板部を下降させてから、ＣＤケースをそのまま開口部から取り出せばよい。
従って、従来例の収納容器よりもスムーズに且つ簡単にＣＤケースを取り出すことができるので、店内での商品の受渡業務が更に効率的に行えるという優れた効果を奏する。
また、迫り上がった状態（ロック状態）の板部を不正な目的で全面的に折り取ることは極めて難しいので、ＣＤケースの不正な取り出しを防止できる。
更に、係合部は基部板の両端に各々形成されているので、係合部の板バネでのロックをその両端で行うこととなり、板部の迫り上がり状態（ロック状態）が安定するという種々の優れた効果を奏する。
【００３１】
また、板バネは、一枚のバネ材をＵ字状に折り曲げて形成したことによって、係合部の両側に係合する板バネを一つの部品で形成することができるので、製造コストを低減できるという優れた効果を奏する。
【００３２】
そして、収納容器本体は、透明又は半透明な合成樹脂材で形成されていることによって、収納したＣＤケースのジャケットなどを外部から視認することができるという優れた効果を奏する。
【図面の簡単な説明】
【図１】本発明に係るケース用ホルダーの斜視図である。
【図２】本発明に係るケース用ホルダーにＣＤケースが収納され板部が迫り上がった状態（ロック状態）の斜視図である。
【図３】ロック手段を分離した状態の斜視図である。
【図４】ロック手段の板部が迫り上がった状態（ロック状態）における正面側を示す断面図である。
【図５】ロック手段の板部が下降した状態における正面側を示す断面図である。
【図６】底面板の平面側を示す断面図である。
【図７】ロック手段の底面側を示す断面図である。
【図８】ロック手段を解除する状態を示す要部拡大断面図である。
【図９】従来例に係るＣＤケースの収納容器の背面図である。
【符号の説明】
１    ＣＤケースの収納容器
２    ＣＤケース
３    開口部
４    収納容器本体
５    ロック機構
６ａ  係止突起
６ｂ  係止突起
７    ロック部材
１１  ケース用のホルダー
１２  ＣＤケース
１３  収納容器本体
１４  ロック手段
１５  開口部
１６  垂下部
１７  天板
１８  背面板
１９  窓孔
２０  側面板
２１  底面板
２２  長溝
２３  板部
２３ａ可動部材
２４  係合部
２４ａ、２４ｂ  係合段部
２５  板バネ
２５ａ先端部
２６  基部板
２７  下部板
２８  凸部
２９  解除装置
３０  カバー部
３０ａ長孔
３０ｂ孔
３１  突起部
【図１】
0004119050.tif 000002
【図２】
0004119050.tif 000003
【図３】
0004119050.tif 000004
【図４】
0004119050.tif 000005
【図５】
0004119050.tif 000006
【図６】
0004119050.tif 000007
【図７】
0004119050.tif 000008
【図８】
0004119050.tif 000009
【図９】
0004119050.tif 000010